(57)【要約】【課題】画像投射を継続できる光源装置及びプロジェクターを提供すること。【解決手段】光源装置３１は、複数の発光管３２２を有し、複数の発光管３２２は、それぞれ寿命が異なる。これによれば、例えば、短寿命の発光管が寿命を迎えて点灯できなくなった場合でも、長寿命の発光管を点灯させることができる。これにより、例えば、光源装置３１が、プロジェクターに採用された場合には、それぞれの発光管が同時に寿命を迎えることを抑制でき、１つの発光管が寿命を迎えた場合でも、他の発光管が出射する光により画像投射を継続できる。【選択図】図３
2016170205.tif 000002
【特許請求の範囲】
【請求項１】
複数の発光管を有し、
前記複数の発光管は、それぞれ寿命が異なることを特徴とする光源装置。
【請求項２】
請求項１に記載の光源装置において、
前記複数の発光管を内部に収納する筐体を有することを特徴とする光源装置。
【請求項３】
請求項２に記載の光源装置において、
前記複数の発光管から出射された光を合成する光合成装置を備え、
前記筐体は、前記光合成装置を内部に収納することを特徴とする光源装置。
【請求項４】
請求項１から請求項３のいずれか一項に記載の光源装置と、
前記光源装置から出射された光を変調する光変調装置と、
変調された光を投射する投射光学装置と、を備えることを特徴とするプロジェクター。
【請求項５】
請求項４に記載のプロジェクターにおいて、
外装を構成する外装筐体を備え、
前記光源装置は、前記外装筐体内に交換可能に設けられることを特徴とするプロジェクター。
【請求項６】
請求項４又は請求項５に記載のプロジェクターにおいて、
前記複数の発光管のうち、少なくとも１つの発光管が点灯しない場合、及び、少なくとも１つの発光管の累積点灯時間が所定時間に達した場合の少なくともいずれかの場合に、所定の報知情報を報知する報知部を有することを特徴とするプロジェクター。
【請求項７】
請求項４から請求項６のいずれか一項に記載のプロジェクターにおいて、
前記光源装置が有する前記複数の発光管のそれぞれを点灯させる点灯装置を備えることを特徴とするプロジェクター。
【発明の詳細な説明】
【技術分野】
【０００１】
本発明は、光源装置及びプロジェクターに関する。
【背景技術】
【０００２】
従来、光源から出射された光を変調して画像情報に応じた画像を形成し、当該画像をスクリーン等の被投射面上に拡大投射するプロジェクターが知られている。
近年、プロジェクターの用途が多様化しており、投射画像の高輝度化の要望が高まってきている。これに対し、複数の光源装置を備えたプロジェクターが提案されている（例えば、特許文献１参照）。
この特許文献１に記載のプロジェクターは、超高圧水銀ランプ等の光源をそれぞれ有する２つの光源装置と、これら光源装置から入射される光を反射させる反射体と、を有する。そして、当該反射体により反射された光は、各種光学部品を介して液晶パネルによって変調され、投射レンズによって投射される。
【先行技術文献】
【特許文献】
【０００３】
【特許文献１】特開２０１０−１９９５４号公報
【発明の概要】
【発明が解決しようとする課題】
【０００４】
ところで、上記特許文献１に記載のプロジェクターのように、複数の光源装置を備えたプロジェクターでは、各光源装置は、ほぼ同じ輝度（出力）となるように点灯される。例えば、光源装置を高輝度点灯させる場合には、当該光源装置が有する全ての光源ランプ（発光管）が高輝度点灯され、光源装置を低輝度点灯させる場合には、全ての光源ランプが低輝度点灯される。このように、プロジェクターが有する全ての光源ランプが同じ点灯状態になると、各光源ランプが同種のものである場合には、当該各光源ランプが略同時期に寿命を迎え、画像投射を行うことができなくなるという問題がある。
特に、このようなプロジェクターが、大規模なプレゼンテーションや、プロジェクションマッピング等に用いられている場合には、これらの場面におけるプロジェクターの利用が中断されてしまい、使用者に大きな損害を生じさせることがある。
【０００５】
本発明は、上記課題の少なくとも一部を解決することを目的としたものであり、画像投射を継続できる光源装置及びプロジェクターを提供することを目的の１つとする。
【課題を解決するための手段】
【０００６】
本発明の第１態様に係る光源装置は、複数の発光管を有し、前記複数の発光管は、それぞれ寿命が異なることを特徴とする。
【０００７】
上記第１態様によれば、これら発光管が同時に寿命を迎えることを抑制でき、短寿命の発光管が寿命を迎えて点灯できなくなった場合でも、長寿命の発光管を点灯させることができる。このため、このような光源装置が、プロジェクターに採用され、当該短寿命の発光管が点灯できなくなった場合でも、長寿命の発光管を点灯させることにより、画像投射が中断されることを抑制できる。従って、上記光源装置が採用されることにより、プロジェクターによる画像投射を継続できる。
【０００８】
上記第１態様では、前記複数の発光管を内部に収納する筐体を有することが好ましい。
上記第１態様によれば、光源装置は、複数の発光管が筐体内に収納されたユニットとして構成される。これによれば、例えば、上記短寿命の発光管が寿命を迎えた場合に、当該短寿命の発光管のみ交換するのではなく、光源装置ごと交換できる。従って、光源装置の交換作業を容易に実施できる。
【０００９】
上記第１態様では、前記複数の発光管から出射された光を合成する光合成装置を備え、前記筐体は、前記光合成装置を内部に収納することが好ましい。
上記第１態様によれば、複数の発光管及び光合成装置が筐体内に収納されたユニットとして構成されることにより、発光管を交換する必要が生じた際に、交換した発光管と、光合成装置との位置調整を、ユニット内（筐体内）で実施できる。従って、発光管の交換作業を簡略化できる。
【００１０】
本発明の第２態様に係るプロジェクターは、上記光源装置と、前記光源装置から出射された光を変調する光変調装置と、変調された光を投射する投射光学装置と、を備えることを特徴とする。
上記第２態様によれば、上記第１態様に係る光源装置と同様の効果を奏することができる。すなわち、短寿命の発光管が寿命を迎えた場合でも、長寿命の発光管が点灯可能であるので、画像投射を確実に継続できる。
【００１１】
上記第２態様では、外装を構成する外装筐体を備え、前記光源装置は、前記外装筐体内に交換可能に設けられることが好ましい。
上記第２態様によれば、例えば、上記短寿命の発光管が寿命を迎え、光源装置を交換する必要が生じた場合に、プロジェクターを製造元や修理業者に送ることなく、使用者が光源装置を容易に交換できる。この際、光源装置がユニットとして構成されていれば、当該光源装置の交換作業を一層容易に実施できる。
【００１２】
上記第２態様では、前記複数の発光管のうち、少なくとも１つの発光管が点灯しない場合、及び、少なくとも１つの発光管の累積点灯時間が所定時間に達した場合の少なくともいずれかの場合に、所定の報知情報を報知する報知部を有することが好ましい。
なお、所定時間としては、対応する発光管の想定寿命に応じた時間や、当該想定寿命より短い時間を例示できる。また、報知情報としては、発光管が寿命を迎えた旨のメッセージや、光源装置の交換を促すメッセージを含む情報を例示できる。更に、報知情報の報知方法としては、当該報知情報を含む画像の表示の他、音声による報知を例示できる。
上記第２態様によれば、例えば、発光管が寿命を迎えたことや、光源装置を交換する必要があることを使用者に報知できる。従って、プロジェクターの利便性を向上できる。
【００１３】
上記第２態様では、前記光源装置が有する前記複数の発光管のそれぞれを点灯させる点灯装置を備えることが好ましい。
ここで、発光管の点灯が安定するには、点灯後に所定の時間を要する。このため、例えば、上記短寿命の発光管及び上記長寿命の発光管のうち、一方の発光管が寿命を迎えて点灯できなくなった後に、他方の発光管を点灯させると、一方の発光管が点灯できなくなってから他方の発光管の点灯が安定するまでの期間、一時的に画像を投射できなくなる他、発光光量が少なく、投射画像が暗くなって画像投射を適切に行えない場合がある。
これに対し、上記第２態様によれば、点灯装置により、長寿命の発光管及び短寿命の発光管を含む複数の発光管のそれぞれが点灯されるので、当該複数の発光管の点灯時に、短寿命の発光管が寿命を迎えた場合でも、長寿命の発光管を点灯させ続けることができる。従って、一時的に画像が投射されなくなることを抑制でき、投射画像の輝度に大きな変化が生じることなく画像投射を継続できる。
【図面の簡単な説明】
【００１４】
【図１】本発明の一実施形態に係るプロジェクターの概要斜視図。
【図２】上記実施形態におけるプロジェクターの内部構成を示すブロック図。
【図３】上記実施形態における光源装置の構成を示す模式図。
【図４】上記実施形態における制御装置の構成を示すブロック図。
【図５】上記実施形態における光源装置の変形を示す模式図。
【発明を実施するための形態】
【００１５】
以下、本発明の一実施形態について、図面に基づいて説明する。
［プロジェクターの概略構成］
図１は、本実施形態に係るプロジェクター１を示す概要斜視図である。
本実施形態に係るプロジェクター１は、光源装置から出射された光を変調して画像情報に応じた画像を形成し、当該画像をスクリーン等の被投射面上に拡大投射する。
このプロジェクター１では、詳しくは後述するが、光源装置３１は、短寿命で高輝度な光を出射する発光管３２２Ａと、長寿命で低輝度な光を出射する発光管３２２Ｂとを有し、これにより、発光管３２２Ａが先に寿命を迎えて消灯された場合でも、発光管３２２Ｂから出射される光により画像投射を継続可能としたものである。
このようなプロジェクター１は、図１に示すように、外装を構成する外装筐体２を備える。
【００１６】
外装筐体２は、天面部２１、底面部２２、正面部２３、背面部２４及び左右の側面部２５，２６を有する略直方体形状に形成されている。
これらのうち、天面部２１には、使用者がプロジェクター１を把持したり、天井等に設置された器具にプロジェクター１を固定する際に利用される一対の把手２１１が設けられている。また、天面部２１には、後述する光源装置３１を外装筐体２内に交換可能に収納するための開口部（図示省略）が形成されており、当該開口部は、カバー部材２１２によって覆われている。
底面部２２には、図示を省略するが、設置台等の設置面上に載置される際に、当該設置面と接触する脚部が設けられている。
正面部２３には、後述する画像形成装置３を構成する投射光学装置３６の一部が露出する開口部２３１が形成されている。
【００１７】
［プロジェクターの内部構成］
図２は、本実施形態に係るプロジェクター１の内部構成を示すブロック図である。
プロジェクター１は、上記外装筐体２の他、図２に示すように、当該外装筐体２内にそれぞれ収納される画像形成装置３、点灯装置４、点灯状態検出装置５及び制御装置６を備える。
【００１８】
［画像形成装置の構成］
画像形成装置３は、後述する制御装置６による制御の下、当該制御装置６から入力される画像情報（画像信号を含む）に応じた画像を形成及び投射する。このような画像形成装置３は、光源装置３１、光変調装置３５及び投射光学装置３６を有する。この他、図示を省略するが、画像形成装置３は、光源装置３１から出射された光の中心軸に直交する面内の照度分布（輝度分布）を均一化する均一化装置と、入射される光の偏光方向を揃える偏光変換装置と、当該照度分布が均一化された光から赤、緑及び青の色光を分離する色分離装置と、色合成装置と、を有する。
【００１９】
これらのうち、光変調装置３５は、上記均一化装置、偏光変換装置及び色分離装置を介して光源装置３１から入射される光を変調して、上記画像情報に応じた画像を形成する。本実施形態では、光変調装置３５は、上記色分離装置にて分離された各色光に応じて設けられ、当該各色光の画像を形成する。これら画像は、ダイクロイックプリズム等により構成される色合成装置により合成される。このような光変調装置３５としては、透過型及び反射型の液晶パネルを例示できる他、マイクロミラーを用いたデバイス、例えば、ＤＭＤ（Digital Micromirror Device）等の液晶以外の光変調装置を採用できる。
投射光学装置３６は、光変調装置３５により形成されて色合成装置により合成された画像を上記被投射面上に拡大投射する。この投射光学装置３６としては、図示を省略するが、鏡筒と、当該鏡筒内に収納配置される複数のレンズを有する組レンズを例示できる。
【００２０】
［光源装置の構成］
図３は、光源装置３１の構成を示す模式図である。
光源装置３１は、上記外装筐体２の天面部２１に設けられたカバー部材２１２（図１参照）を取り外すことにより、上記開口部を介して外装筐体２内に交換可能に装着される。
この光源装置３１は、図３に示すように、複数の光源部３２と、当該複数の光源部３２から出射された光を合成する光合成装置３３と、これらを内部に収納してユニット化する筐体３４と、を備える。本実施形態では、光源装置３１は、２つの光源部３２（３２Ａ，３２Ｂ）を備える。そして、各光源部３２Ａ，３２Ｂは、光合成装置３３を挟む位置に配置され、それぞれ光合成装置３３に向けて光を出射する。換言すると、各光源部３２Ａ，３２Ｂは、互いに向い合せるように配置される。
【００２１】
これらのうち、筐体３４は、略直方体状に形成された箱型筐体である。この筐体３４における長手方向の略中央には、透光性部材３４２が嵌め込まれた開口部３４１が形成されている。この開口部３４１を介して、内部に収納された各光源部３２から出射された光が、光源装置３１外に出射される。
光合成装置３３は、各光源部３２から入射される光を合成する。本実施形態では、光合成装置３３は、光源部３２Ａから入射される光を上記開口部３４１に向けて反射させる反射ミラー３３１と、光源部３２Ｂから入射される光を当該開口部３４１に向けて反射させる反射ミラー３３２とを有する。
【００２２】
光源部３２Ａは、光を出射する光源ランプ３２１、主反射鏡３２４及び平行化凹レンズ３２５と、これらを内部に収納する収納体３２６と、を有する。
光源ランプ３２１は、発光管３２２（３２２Ａ）及び副反射鏡３２３を有する。
発光管３２２は、後述する点灯装置４から供給されるランプ電力によって発光する略球形状の発光部３２２１と、発光部３２２１の両端から互いに反対方向に延出する一対の封止部３２２２，３２２３と、を有する。
一対の封止部３２２２，３２２３内には、図示を省略するが、発光部３２２１内の電極とそれぞれ電気的に接続される金属箔及びリード線が配置されている。これらのうち、発光部３２２１より光源部３２からの光の出射方向側に位置する封止部３２２３には、発光部３２２１における当該出射方向側を覆って、入射される光を反射させる副反射鏡３２３が設けられている。また、当該封止部３２２３とは発光部３２２１を挟んで反対側に位置する封止部３２２２には、主反射鏡３２４が設けられている。
【００２３】
主反射鏡３２４は、入射される光を反射させて収束させる凹曲面状の反射面３２４１を有する反射鏡であり、上記発光部３２２１は、主反射鏡３２４内に位置する。なお、本実施形態では、主反射鏡３２４は、回転楕円面を有する楕円面リフレクターにより構成されているが、回転放物面を有する放物面リフレクターにより構成してもよく、自由曲面リフレクターにより構成してもよい。
平行化凹レンズ３２５は、主反射鏡３２４により収束される光束を平行化する。
収納体３２６は、光源ランプ３２１及び主反射鏡３２４を内部に収納し、平行化凹レンズ３２５を支持する。
【００２４】
光源部３２Ｂは、光源部３２Ａと光合成装置３３を挟んで向かい合わせに配置される他は、当該光源部３２Ａと同様の構成を有する。すなわち、光源部３２Ｂは、光源ランプ３２１、主反射鏡３２４及び平行化凹レンズ３２５と、これらを内部に収納する収納体３２６と、を有し、当該光源ランプ３２１は、発光管３２２（３２２Ｂ）及び副反射鏡３２３を有する。
【００２５】
ここで、光源部３２Ａが有する発光管３２２Ａと、光源部３２Ｂが有する発光管３２２Ｂとは、それぞれ種別が異なる発光管であり、それぞれ寿命が異なる。具体的に、発光管３２２Ａと発光管３２２Ｂとでは、定格ランプ電力（定格消費電力）がそれぞれ異なる。
このため、後述する点灯装置４が、定格ランプ電力を各発光管３２２Ａ，３２２Ｂに供給し続けた場合、発光管３２２Ａ，３２２Ｂのうち、短寿命の発光管が先に寿命を迎えて点灯できなくなる。なお、発光管３２２Ａ，３２２Ｂの発光輝度については、一般的には短寿命の発光管の発光輝度は、長寿命の発光管の発光輝度より高くなるが、各発光管３２２Ａ，３２２Ｂの種別に応じて発光輝度は異なるため、必ずしもこれに限らない。このため、発光管３２２Ａ，３２２Ｂのうち、一方に、長寿命で低輝度の発光管を採用し、他方に、短寿命で高輝度の発光管を採用してもよく、また、一方に、長寿命で高輝度な発光管を採用し、他方に、短寿命で低輝度の発光管を採用してもよい。
以下、発光管３２２Ａを短寿命／高輝度の発光管とし、発光管３２２Ｂを長寿命／低輝度の発光管として説明する。すなわち、本実施形態においては、発光管３２２Ａの方が、発光管３２２Ｂに比べて先に寿命を迎える。
【００２６】
［点灯装置及び消灯検出装置の構成］
図２に戻り、点灯装置４は、上記光源装置３１にランプ電力を供給して、当該光源装置３１を構成する各光源部３２Ａ，３２Ｂの発光管３２２（３２２Ａ，３２２Ｂ）を点灯させる装置である。この点灯装置４により供給されたランプ電力は、光源装置３１内の回路によって分圧されて各発光管３２２Ａ，３２２Ｂに供給される。しかしながら、これに限らず、点灯装置４が、各発光管３２２の定格ランプ電力を、当該各発光管３２２に個別に供給してもよい。このような点灯装置４は、後述する制御装置６により制御される。
点灯状態検出装置５は、各発光管３２２の点灯状態を検出する。本実施形態に係る点灯状態検出装置５は、各発光管３２２を導通する電流の電圧値を検出する。この電圧値を判定することにより、発光管３２２の寿命が近いか否かを判定できる他、寿命や不良により発光管３２２が点灯していないか否かを判定できる。
【００２７】
［制御装置の構成］
図４は、制御装置６の構成を示すブロック図である。
制御装置６は、ＣＰＵ（Central Processing Unit）等の処理装置や、フラッシュメモリー等の記憶装置を有し、使用者による入力操作に応じて入力される上記操作信号に基づいて、或いは、自律的にプロジェクター１の動作を制御する。この制御装置６は、例えば、外部から入力される画像情報を必要に応じてデコードし、当該画像情報に応じた画像信号（駆動信号）を上記画像形成装置３に出力して、当該画像情報に応じた画像を形成及び投射させる。また、制御装置６は、上記光源装置３１の点灯を制御する他、当該光源装置３１が有する発光管３２２のうち、少なくとも１つの発光管３２２が寿命及び不良等により点灯できなくなった場合に、光源装置３１の交換を促す報知情報を報知する。
このような制御装置６は、図４に示すように、上記記憶装置により構成される記憶部６１と、当該記憶部６１に記憶されたプログラムを上記処理装置が処理することにより実現される点灯時間計時部６２、点灯状態判定部６３、原因解析部６４及び報知部６５と、を有する。
【００２８】
記憶部６１は、プロジェクター１の動作に必要な各種プログラム及びデータを記憶している。例えば、記憶部６１は、各発光管３２２の想定寿命時間を記憶している他、点灯時間計時部６２により計時される各発光管３２２の累積点灯時間を記憶する。なお、各発光管３２２の想定寿命時間は、発光管３２２の種別毎に予め記憶されていてもよく、装着された光源装置３１から取得されて記憶されてもよい。また、本実施形態では、記憶部６１を構成するメモリーのうち、累積点灯時間を計時するメモリーは、各光源部３２の収納体３２６の近傍にそれぞれ配設されている。
点灯時間計時部６２は、各発光管３２２の累積点灯時間を計時する。具体的に、点灯時間計時部６２は、記憶部６１（上記メモリー）に記憶されている各発光管３２２の累積点灯時間を、対応する発光管３２２が点灯されている間、カウントアップする。
【００２９】
点灯状態判定部６３は、上記点灯状態検出装置５による検出結果に基づいて、各発光管３２２の点灯状態を判定する。具体的に、点灯状態判定部６３は、各発光管３２２が適切に点灯しているか否かを判定する。
原因解析部６４は、点灯状態判定部６３により、点灯していない発光管３２２が存在すると判定されると、発光管３２２が点灯しない原因を解析する。例えば、点灯していない発光管３２２の累積点灯時間が上記想定寿命を超えている場合には、原因解析部６４は、当該発光管３２２が点灯できなくなった原因を寿命と判断する。一方、点灯していない発光管３２２の累積点灯時間が上記想定寿命を超えていない場合には、原因解析部６４は、当該発光管３２２が点灯できなくなった原因を発光管３２２の不良と判断する。
【００３０】
報知部６５は、プロジェクター１の動作に関する各種情報を使用者に報知する。例えば、報知部６５は、上記点灯状態判定部６３により、点灯していない発光管３２２が存在すると判定された場合に、原因解析部６４によって解析された原因を含む報知情報を報知する。例えば、発光管３２２が点灯しない原因が寿命である場合には、報知部６５は、発光管３２２が寿命を迎えた旨のメッセージや、光源装置３１の交換を促すメッセージを含む報知情報を報知する。また、報知部６５は、発光管３２２が寿命を迎える前の段階で、発光管３２２の累積点灯時間が所定時間（例えば想定寿命）に達した場合に、光源装置３１の交換を促すメッセージを含む報知情報を報知する。このような報知部６５は、例えば、画像形成装置３に報知情報を含む画像をＯＳＤ（On Screen Display）によって表示させたり、音声出力装置（図示省略）に報知情報に応じた音声を出力させたりすることによって、当該報知情報を報知する。
【００３１】
以上説明した本実施形態に係るプロジェクター１は、以下の効果がある。
光源装置３１が、短寿命の発光管３２２Ａと、長寿命の発光管３２２Ｂとを有するので、これら発光管３２２Ａが同時に寿命を迎えることを抑制できる。このため、短寿命の発光管３２２Ａが寿命を迎えて点灯できなくなった場合でも、長寿命の発光管３２２Ｂを点灯させることができる。従って、画像投射が中断されることを抑制でき、プロジェクター１による画像投射を継続できる。
【００３２】
光源装置３１は、複数の発光管３２２を有する光源部３２Ａ，３２Ｂ、及び、光合成装置３３が筐体３４内に収納されたユニットとして構成されている。これによれば、発光管３２２Ａ，３２２Ｂのうちのいずれか（例えば、短寿命の発光管３２２Ａ）が寿命を迎えた場合に、当該発光管３２２Ａのみ交換するのではなく、光源装置３１ごと交換できる。従って、光源装置３１の交換作業を容易に実施できる。
【００３３】
筐体３４は、上記光源部３２Ａ，３２Ｂの他、当該光源部３２Ａ，３２Ｂから出射された光を合成する光合成装置３３を内部に収納している。これによれば、筐体３４内の発光管３２２を交換した場合に、当該発光管３２２を有する光源部３２と、光合成装置３３との位置調整をユニット内（筐体３４）で実施できる。従って、発光管３２２の交換作業を簡略化できる。
【００３４】
光源装置３１は、外装筐体２内に交換可能に設けられる。これによれば、複数の発光管３２２のうちのいずれか（例えば、短寿命の発光管３２２Ａ）が寿命を迎え、光源装置３１を交換する必要が生じた場合に、プロジェクター１を製造元や修理業者に送ることなく、使用者が光源装置３１を容易に交換できる。この際、光源装置３１がユニットとして構成されているので、当該光源装置３１の交換作業を一層容易に実施できる。
【００３５】
短寿命の発光管３２２Ａが寿命を迎えた場合や、発光管３２２の累積点灯時間が上記所定時間に達した場合に、報知部６５が、上記報知情報を報知するので、当該短寿命の発光管３２２Ａが寿命を迎えたことや、光源装置３１を交換する必要があることを、使用者に報知できる。従って、プロジェクター１の利便性を向上できる。
【００３６】
ここで、発光管３２２の点灯が安定するには、点灯後に所定の時間を要する。このため、例えば、発光管３２２（３２２Ａ，３２２Ｂ）のうち一方の発光管３２２が寿命を迎えて点灯できなくなった後に、他方の発光管３２２を点灯させると、当該一方の発光管３２２が点灯できなくなってから他方の発光管３２２の点灯が安定するまでの期間、一時的に画像を投射できなくなる他、発光光量が少なく、投射画像が暗くなって画像投射を適切に行えない場合がある。
これに対し、点灯装置４は、各発光管３２２をそれぞれ点灯させるので、当該発光管３２２の点灯時に、例えば短寿命の発光管３２２Ａが寿命を迎えて点灯できなくなった場合でも、長寿命の発光管３２２Ｂの点灯を継続できる。従って、一時的に画像投射が中断されることを抑制でき、投射画像の輝度に大きな変化が生じることなく画像投射を継続できる。
【００３７】
［実施形態の変形］
本発明は、上記実施形態に限定されるものではなく、本発明の目的を達成できる範囲での変形、改良等は本発明に含まれるものである。
上記実施形態では、光源装置３１は、それぞれ発光管３２２を有する光源部３２（３２Ａ，３２Ｂ）を備え、これら光源部３２は、筐体３４内にて互いに向い合わせとなるように光合成装置３３を挟んで配置されるとした。しかしながら、本発明はこれに限らない。すなわち、光源装置３１における光源部３２及び発光管３２２の配置は、適宜変更可能である。
【００３８】
図５は、光源装置３１の変形である光源装置３１Ａの構成を示す模式図である。
例えば、上記プロジェクター１に、光源装置３１に代えて以下に示す光源装置３１Ａを採用してもよい。
この光源装置３１Ａは、図５に示すように、光合成装置３３を備えない他は、光源装置３１と同様の構成を有する。すなわち、光源装置３１Ａは、それぞれ発光管３２２を有する２つの光源部３２（３２Ａ，３２Ｂ）と、これら光源部３２（３２Ａ，３２Ｂ）を収納する筐体３４と、を備え、これらがユニット化されている。
この光源装置３１Ａでは、各光源部３２Ａ，３２Ｂは、光の出射方向が互いに略平行となり、光の出射側が同方向側を向くように、当該光の出射方向に直交する方向に沿って並列に配置される。そして、各光源部３２Ａ，３２Ｂから出射された光は、筐体３４の開口部３４１に嵌め込まれた透光性部材３４２を介して外部に出射される。
このような光源装置３１Ａを採用したプロジェクター１によっても、上記と同様の効果を奏することができる。
【００３９】
上記実施形態では、光源装置３１を構成し、筐体３４内に収納される光源部３２Ａ，３２Ｂは、発光管３２２を有する光源ランプ３２１及び主反射鏡３２４を内部に収納する収納体３２６を備えるとした。しかしながら、本発明はこれに限らず、収納体３２６は無くてもよい。すなわち、複数の発光管３２２を含む光源装置であればよい。上記光源装置３１Ａにおいても同様である。
【００４０】
上記実施形態では、光源装置３１が有する光源ランプ３２１（発光管３２２）の数は２つであった。しかしながら、本発明はこれに限らず、３つ以上でもよい。すなわち、長寿命の発光管が少なくとも１つ含まれ、短寿命の発光管が少なくとも１つ含まれていれば、光源装置が有する発光管の数は適宜変更可能であり、更に、中寿命の発光管が含まれていてもよい。なお、短寿命の発光管を２つ以上有する光源装置の場合、当該短寿命の発光管が全て寿命を迎え、長寿命の発光管のみ点灯可能となったときに、当該光源装置の交換を促すメッセージを含む報知情報が報知される構成としてもよい。
【００４１】
上記実施形態では、画像形成装置３は、光源装置３１を１つ備えるとした。しかしながら、本発明はこれに限らず、画像形成装置３は、光源装置３１を２つ以上備える構成としてもよい。この場合、光源装置３１毎に交換可能とされ、寿命を迎えた発光管３２２を有する光源装置３１がある場合には、当該光源装置３１の交換を促すメッセージを含む報知情報を報知してもよい。
【００４２】
上記実施形態では、光源装置３１は、上記発光管３２２Ａ，３２２Ｂを内部に収納する筐体３４を備え、これによりユニット化されているとした。しかしながら、本発明はこれに限らない。例えば、光源装置３１が有する発光管３２２は、外装筐体２内に固定されていてもよい。すなわち、筐体３４はなくてもよい。
【００４３】
上記実施形態では、光源装置３１が有する発光管３２２（発光管３２２Ａ，３２２Ｂ）の点灯状態を検出する点灯状態検出装置５を有する他、制御装置６は、点灯状態判定部６３、原因解析部６４及び報知部６５を有し、発光管３２２の少なくともいずれか（例えば発光管３２２Ａ）が寿命を迎えて点灯できなくなった場合や、発光管３２２が寿命を迎える前の段階で当該発光管３２２の累積点灯時間が上記所定時間に達した場合に、発光管３２２が寿命を迎えた旨のメッセージや、光源装置３１の交換を促すメッセージを含む報知情報を報知するとした。しかしながら、本発明はこれに限らない。例えば、これらの場合のうちの一方でのみ、報知情報が報知される構成としてもよい。また、報知情報に含まれるメッセージは、これらメッセージのうちのいずれかのみでもよく、他の内容を含む報知情報が報知されてもよい。更に、上記所定時間は、適宜変更可能である。加えて、情報の報知も、例えば所定のインジケーターの点灯や音声出力により行われてもよい。
【００４４】
上記実施形態では、記憶部６１を構成し、かつ、累積点灯時間が記憶されるメモリーは、各光源部３２の収納体３２６の近傍にそれぞれ配設されるとした。しかしながら、本発明はこれに限らない。このようなメモリーは、各光源部３２の収納体３２６のそれぞれに直接配設されていてもよく、光源装置３１の筐体３４に配設されていてもよい。すなわち、当該メモリーは、光源装置３１又は光源部３２の交換時に、これらと同時に交換される位置に配置されていてもよい。更に、上記処理装置が実装された回路基板上に配設されたメモリーに、累積点灯時間が記憶されてもよい。加えて、累積点灯時間を記録する上記点灯時間計時部６２が、上記メモリーとともに上記例示した箇所に配設されていてもよい。
【００４５】
上記実施形態では、点灯装置４は、光源装置３１が有する各発光管３２２（３２２Ａ，３２２Ｂ）をそれぞれ点灯させるとした。すなわち、各発光管３２２は、寿命を迎える等して点灯できない発光管３２２を除いて全て点灯されるとした。しかしながら、本発明はこれに限らない。例えば、短寿命の発光管３２２Ａ及び長寿命の発光管３２２Ｂのうち、一方の発光管を点灯させ、当該一方の発光管が寿命を迎えて点灯できなくなった後に、他方の発光管を点灯させるように構成してもよい。
【００４６】
上記実施形態では、本発明の光源装置をプロジェクター１に適用した例を挙げたが、本発明はこれに限らない。例えば、本発明の光源装置を、例えば照明器具や自動車の光源装置として利用することも可能である。
【符号の説明】
【００４７】
１…プロジェクター、２…外装筐体、３１…光源装置、３２２…発光管、３２２Ａ…発光管（短寿命の発光管）、３２２Ｂ…発光管（長寿命の発光管）、３３…光合成装置、３４…筐体、３５…光変調装置、３６…投射光学装置、４…点灯装置、６５…報知部。
【図１】
2016170205.tif 000003
【図２】
2016170205.tif 000004
【図３】
2016170205.tif 000005
【図４】
2016170205.tif 000006
【図５】
2016170205.tif 000007